(57)【要約】      （修正有）【課題】給紙ローラを利用して用紙通路内に受け入れた用紙を引き込み搬送する給紙装置を具備する機器において、給紙ローラを安定して取り付けられるようにしつつ、給紙ローラの着脱を簡易に行えるようにする。【解決手段】給紙装置７に、用紙通路に臨ませて形成された開口部７２と、前記用紙通路側に開放された状態でこの開口部７２の両側に配設された軸支持用凹部７４と、前記軸支持用凹部７４に用紙通路側から両端部を嵌め込んで前記開口部７２に架け渡される支軸７５と、この支軸７５に回転自在に支持されて前記開口部７２に配される給紙ローラ７１と、前記開口部７２に開閉可能に設けられ閉止状態においてこの給紙ローラ７１の一部を前記用紙通路に表出させるための窓７６ａを有するとともに前記支軸７５が前記凹部７４から外れるのを阻止する支軸押さえ部７６ｂを備えてなる蓋体７６とを具備させる。【選択図】図７
2010132433.tif 000002
【特許請求の範囲】
【請求項１】
壁体間に用紙を通過させるための用紙通路を形成してなる機器本体と、この機器本体に設けられ用紙通路内に受け入れた用紙を搬送する給紙装置とを具備してなる機器であって、前記給紙装置が、前記用紙通路に臨ませて前記壁体の一方に形成されたローラ収納用の開口部と、前記用紙通路側に開放された状態でこの開口部の両側に配設された軸支持用凹部と、これら両軸支持用凹部に用紙通路側から両端部を嵌め込んで前記開口部に架け渡される支軸と、この支軸に回転自在に支持されて前記開口部に配される給紙ローラと、前記開口部に開閉可能に設けられ閉止状態においてこの給紙ローラの一部を前記用紙通路に表出させるための窓を有するとともに前記支軸が前記凹部から外れるのを阻止する支軸押さえ部を備えてなる蓋体とを具備してなるものであることを特徴とする機器。
【請求項２】
前記支軸の端部に、前記凹部の内面に係り合って該支軸の回転を防止するための回転防止要素が設けられている請求項１記載の機器。
【請求項３】
前記開口部に駆動歯車が配してあるとともに、前記給紙ローラの一端に該給紙ローラと一体に回転する従動歯車が設けてあり、前記支軸の両端部を前記凹部に嵌め込んで給紙ローラを前記開口部に配した状態で前記従動歯車が前記駆動歯車に噛み合うように設定してある請求項１又は２記載の機器。
【請求項４】
作動レバーの先端に用紙が触れているか否かによって前記用紙通路内の用紙の有無を検知するためのセンサを前記開口部内に配し、前記作動レバーの先端側を前記蓋体の窓を通して前記用紙通路に突出させている請求項１、２又は３記載の機器。
【発明の詳細な説明】
【技術分野】
【０００１】
本発明は、スキャナ、プリンタ或いはファクシミリ等の機器に関する。
【背景技術】
【０００２】
スキャナ、プリンタ或いはファクシミリ等の機器においては、重ねて投入された複数枚の用紙を捌きながら給紙ローラにより１枚ずつ内部に引き込んで処理を施すようにしたものが少なくない。
【０００３】
従来、この種の機器は、用紙通路の前段部分に用紙を引き込むための給紙ローラを配するとともに、その給紙ローラに捌きパッドを対面配置している。そして、複数毎の用紙を前記捌きパッドと前記給紙ローラとの間に形成される側面視楔状をなす隙間に導入して給紙ローラに接する用紙を１枚ずつ引き込むようになっている。
【０００４】
ところで、この種の給紙ローラは、経年変化等により、その外周面と用紙との摩擦力が低下し、用紙の引き込みに支障が生じることがある。そのため、この種の機器では、給紙ローラを機器本体に対して着脱可能に装着することができるようにしているものが一般的である。
【０００５】
従来、給紙ローラを機器本体から取り外すことができるようにするための構成としては、給紙ローラの支軸を受ける軸受を、正規の軸受位置と、支軸を取り外すことができる退避位置との間で作動させ得るようにしたものや、給紙ローラの支軸を部材の弾性変形を利用して軸受に挿脱しうるようにしたもの等が知られている（例えば、特許文献１、２を参照）。
【０００６】
ところが、前者のものは、軸受を進退動作させたり、所定位置にロックするための格別な機構が不可欠であり、構成が複雑になるとともに、給紙ローラの挿脱に手間が掛かるという問題がある。一方、後者のものは、支軸が外れるおそれがあり、それを防止するために弾性係合の強度を高く設定すると、給紙ローラの挿脱操作に大きな力を要するという問題がある。
【特許文献１】特開平６−１４４６０６号公報
【特許文献２】特開２０００−１２８３６８号公報
【発明の開示】
【発明が解決しようとする課題】
【０００７】
本発明は、前者の有する課題、すなわち給紙ローラの支持部分の構造が複雑になるとともに操作が煩雑であるという課題と、後者の有する課題、すなわち挿脱操作の容易化を図ろうとすると給紙ローラの支持が不安定になるという課題とを同時に解消することを目的としている。
【課題を解決するための手段】
【０００８】
本発明に係る機器は、以上のような課題を解決するために、壁体間に用紙を通過させるための用紙通路を形成してなる機器本体と、この機器本体に設けられ用紙通路内に受け入れた用紙を搬送する給紙装置とを具備してなる機器であって、前記給紙装置が、前記用紙通路に臨ませて前記壁体の一方に形成されたローラ収納用の開口部と、前記用紙通路側に開放された状態でこの開口部の両側に配設された軸支持用凹部と、これら両軸支持用凹部に用紙通路側から両端部を嵌め込んで前記開口部に架け渡される支軸と、この支軸に回転自在に支持されて前記開口部に配される給紙ローラと、前記開口部に開閉可能に設けられ閉止状態においてこの給紙ローラの一部を前記用紙通路に表出させるための窓を有するとともに前記支軸が前記凹部から外れるのを阻止する支軸押さえ部を備えてなる蓋体とを具備してなるものであることを特徴とする。
【０００９】
このような構成のものであれば、支軸を軸支持用凹部に嵌め込むことにより支軸を装着できるので、給紙ローラの挿脱操作の容易化を図ることができる。その上、蓋体を閉止状態とした際にこの蓋体の支軸押さえ部により支軸の外れ止めを行うことができるので、給紙ローラの支持部分の構造を簡単なものにしつつ、しかも給紙ローラを安定して支持させることができる。
【００１０】
支軸に対して回転ローラを回転自在に設けているものにおいて、支軸の回転止めを簡単に行うには、前記支軸の端部に、前記凹部の内面に係り合って該支軸の回転を防止するための回転防止要素を設けておくのが望ましい。
【００１１】
給紙ローラへの動力の伝達部分の構成をも簡略化するには、前記開口部に駆動歯車を配するとともに、前記給紙ローラの一端に該給紙ローラと一体に回転する従動歯車を設けておき、前記支軸の両端部を前記凹部に嵌め込んで給紙ローラを前記開口部に配した状態で前記従動歯車が前記駆動歯車に噛み合うように設定しておくのが望ましい。
【００１２】
用紙の有無を検知する部分の構成をも簡略化するには、作動レバーの先端に用紙が触れているか否かによって前記用紙通路内の用紙の有無を検知するためのセンサを前記開口部内に配し、前記作動レバーの先端側を前記蓋体の窓を通して前記用紙通路に突出させておくのがよい。センサを配置するスペースや、レバーを用紙通路に突出させるための窓を別途設ける必要がなくなるからである。
【発明の効果】
【００１３】
本発明によれば、簡単な構成により、給紙ローラを安定して取り付けることができるようにしつつ、給紙ローラの着脱を簡易に行えるようにした機器を提供することができる。
【発明を実施するための最良の形態】
【００１４】
以下、本発明に係る機器がスキャナである場合の一実施形態につき、図面を参照して説明する。
【００１５】
このスキャナは、図１及び図２に示すように、給紙口２及び排紙口３を有した機器本体１と、この機器本体１に設けられ前記給紙口２に用紙Ｐを案内する給紙トレイ５と、前記機器本体１の底壁１１側に設けられ排紙口３から排出される用紙Ｐを受ける排紙トレイ４とを備えてなる。
【００１６】
機器本体１は、静止ハウジング１Ａと、この静止ハウジング１Ａの前面側に開閉可能に設けた開閉ハウジング１Ｂとを備えたもので、これら静止ハウジング１Ａと前記開閉ハウジング１Ｂとの間に用紙通路Ｔが形成されている。そして、用紙ジャムが発生した場合に前記開閉ハウジング１Ｂを前方に開くことによって詰まった用紙Ｐを取り除くことができるようになっている。すなわち、前記開閉ハウジング１Ｂは、その下端部両側に設けた軸１５を介して静止ハウジング１Ａに前後方向に開閉動作し得るように支持されている。図３は説明の便宜上、開閉ハウジング１Ｂを取り外した状態の静止ハウジング１Ａを前面側から示す斜視図である。図４は、取り外された開閉ハウジング１Ｂを背面側から観察した斜視図である。
【００１７】
詳述すれば、前記図１及び図２に示すように、前記機器本体１は、上面後部に給紙口２を有するとともに前面下部に排紙口３を備え、内部に前記給紙口２と前記排紙口３とを連通させる用紙通路Ｔを形成してなる。この用紙通路Ｔは、前記機器本体１内に設けた前後対をなす壁体１３、１４間に形成されたもの、換言すれば、前記静止ハウジング１Ａの前面を形成する壁体１３と、前記開閉ハウジング１Ｂの背面を形成する壁体１４との間に形成されたものである。この用紙通路Ｔの給紙口２側には、分離可能に束ねられた複数枚の用紙Ｐを受け入れ可能な受入領域Ｔ１が設けてある。そして、この受入領域Ｔ１に受け入れられた複数枚の用紙Ｐの先端部分を捌く捌き装置６と、この捌き装置６により捌かれる用紙Ｐを給紙ローラ７１により一枚ずつ引き込む給紙装置７と、この給紙装置７により引き込まれた用紙Ｐを搬送ローラ８１、８２により排紙口３方向に搬送する搬送装置８と、この搬送装置８により搬送されている用紙Ｐの両面を撮像する撮像装置９とを前記用紙通路Ｔに沿って配している。撮像を終えた用紙Ｐは、前記搬送ローラ８１、８２により排紙口３方向に送られ、この排紙口３から排紙トレイ４上に排出されるようになっている。
【００１８】
捌き装置６は、受入領域Ｔ１に連続する捌き領域Ｔ２に配され前記給紙ローラ７１に接することにより搬送される先頭の用紙Ｐを他の用紙Ｐに優先させて通過させるための捌きパッド６１ａと、この捌きパッド６１ａの上流側に配され前記受入領域Ｔ１の用紙Ｐの先端部分を前記給紙ローラ７１と前記捌きパッド６１ａとの間に案内するピックアップ板６１ｃとを具備する。この捌き装置６は、前記機器本体１の開閉ハウジング１Ｂ側に設けられており、この捌き装置６に対向するようにして前記機器本体１の静止ハウジング１Ａ側に給紙装置７が設けられている。
【００１９】
給紙装置７は、図示しない駆動装置により回転駆動される給紙ローラ７１を主体に構成されたもので、前記捌きパッド６１ａにより押し付けられる最先端の用紙Ｐを下方に引き込んで前記搬送装置８に引き渡すようになっている。
【００２０】
詳述すると、この給紙装置７は、図３、図５、図６、及び図７に示すように、前記用紙通路Ｔに臨ませて前記壁体１３に形成されたローラ収納用の開口部７２と、前記用紙通路Ｔ側に開放された状態でこの開口部７２の両側に配設された左、右の軸支持用凹部７３、７４と、これら両軸支持用凹部７３、７４に用紙通路Ｔ側から両端部を嵌め込んで前記開口部７２に架け渡される支軸７５と、この支軸７５に回転自在に支持されて前記開口部７２に配される前記給紙ローラ７１と、前記開口部７２に開閉可能に設けられ閉止状態においてこの給紙ローラ７１の一部を前記用紙通路Ｔに表出させるための窓７６ａを有するとともに前記支軸７５が前記凹部７３、７４から外れるのを阻止する支軸押さえ部７６ｂを備えてなる蓋体７６とを具備してなる。ここで、前記図５は、蓋体７６を開放した状態のこの給紙装置７近傍を示す斜視図である。前記図６は、前記給紙ローラ７１及び支軸７５を取り外した状態のこの給紙装置７近傍を示す斜視図である。前記図７は、蓋体７６を開放した状態のこの給紙装置７の正面図である。
【００２１】
前記開口部７２は、図３、図６、及び図７に示すように、矩形の開口端７２ａを有し、この開口端７２ａの上辺から下辺にかけて設けられ内方へ湾曲する背壁７２ｂと、前記開口端７２ａの左辺から背壁７２ｂの左側縁にかけて設けられ途中に前向きの段部７２ｃ１を有する左側壁７２ｃと、前記開口端７２ａの右辺から背壁７２ｂの右側縁にかけて設けられる右側壁７２ｄと、この右側壁７２ｄに隙間７２ｆを介して設けられた右中間壁７２ｅとを備えている。また、この右中間壁７２ｅの内側には、図示しない駆動装置により回転駆動される駆動歯車７７が臨ませてある。ここで、前記背壁７２ｂは、この開口部７２内に給紙ローラ７１と同心に形成した部分を有する。そして、この開口部７２の左側壁の段部に左の軸支持用凹部７３を設けるとともに、右中間壁に右の軸支持用凹部７４を設けている。
【００２２】
左の軸支持用凹部７３は、図６に示すように、前記段部７２ｃ１を横断面半円弧状に凹陥させたもので、用紙通路Ｔに向けて開口している。また、この軸支持用凹部７３の外側方には、横断面半円弧状をなすトンネル部７３ａが形成されている。この軸支持用凹部７３の内周面の曲率半径及び前記トンネル部７３ａの内周面の曲率半径は、前記支軸７５の左端部の半径に対応させてある。
【００２３】
右の軸支持用凹部７４は、図６及び図７に示すように、前記右中間壁７２ｅの前縁中間部分を凹陥させたもので、用紙通路Ｔに向けて開口している。また、この右の軸支持用凹部７４は、図８及び図９に示すように、後述する支軸７５の回り止め部７５ａに係り合う上下対をなす平面部７４ａと、これら平面部７４ａの後端部同士を連続させる部分円弧部７４ｂとからなる。この右の軸支持用凹部７４に、前記支軸７５の右端部を嵌め合わせるようにしている。
【００２４】
支軸７５は、給紙ローラ７１を回転自在に支持するもので、前記左の軸支持用凹部７３と、前記右の軸支持用凹部７４間に装着されるようになっている。この支軸７５の左端部は円柱状をなし、左の軸支持用凹部７３に前方から嵌め合わせることができるようになっている。そして、この支軸７５を嵌め合わせた後、若干左にスライドさせることにより、その左端部の先端部分が前記トンネル部７３ａ内に進入し得るようになっている。一方、この支軸７５の右端部には、平面状をなす回転防止要素たる回り止め部７５ａを設けている。この回り止め部７５ａは、図８及び図９に側面を示すように、支軸７５の外周面に平行な平面部を形成したものであり、図８に示すように前記支軸７５を前記右の軸支持用凹部７４に前方から挿入した場合に、前記回り止め部７５ａが、図９に示すように前記右の軸支持用凹部７４の平面部７４ａに係り合って支軸７５の回り止め機能が発揮されるようになっている。
【００２５】
給紙ローラ７１は、外周面に摩擦係数の大きな材料を用いてなる円筒状のもので、前記支軸７５の中間部分で回転可能に支持されている。給紙ローラ７１の右端には、図５、図６、及び図７に示すように、従動歯車７１ａが設けてある。この従動歯車７１ａは、前記支軸７５の両端部を左、右の軸支持用凹部に嵌め込んでこの給紙ローラ７１を開口部７２に配した状態で、前記駆動歯車７７に噛み合うようにしている。そして、この給紙ローラ７１の前方に、蓋体７６を配している。
【００２６】
蓋体７６は、図３、図５、図６、及び図７に示すように、下端部を前記開口部７２の下側に前後方向に開閉しうるように取り付けたもので、前記開口部７２を閉塞するとともに前記給紙ローラ７１を前記給紙通路Ｔに表出させるための前記窓７６ａを有する蓋体本体７６ｃと、この蓋体本体７６ｃの左側縁から後方に突出させた左側壁７６ｄと、前記蓋体本体７６ｃの右側縁から後方に突出させた右側壁７６ｅとを備えている。前記左右の側壁７６ｄ、７６ｅの上部には、弾性爪７６ｄ１、７６ｅ１が一体に形成されており、蓋体７６を閉じることにより、前記弾性爪７６ｄ１、７６ｅ１が機器本体１に設けた係合孔１３ａに着脱可能に係り合うようになっている。また、右側壁７６ｅには、前記支軸７５が前記凹部７３、７４から外れるのを阻止する前記支軸押さえ部７６ｂが設けられている。すなわち、前記蓋体７６を閉じた状態では、前記右側壁７６ｅが前記開口部７２の隙間７２ｆに挿入され、前記図９に示すように、その右側壁７６ｅに設けた支軸押さえ部７６ｂが右の軸支持用凹部７４に収まっている支軸７５の前端に当たるようになっている。ここで、図９では、この蓋体７６を想像線により示している。なお、蓋体７６を閉じた状態では、前記窓７６ａを通して作動レバー７８の先端側が用紙通路Ｔに突出するようになっている。すなわち、前記開口部７２内には、用紙の有無を判別するための図示しないセンサが配設してあり、前記作動レバー７８は、このセンサを作動させるためのものである。具体的には、この作動レバー７８の先端に用紙Ｐが触れているか否かによって前記センサが切り替わるようになっている。
【００２７】
以上のようにしてなる給紙装置７により、内部に引き込まれた用紙Ｐは、搬送装置８により用紙通路Ｔに沿って排紙口３方向に搬送される。
【００２８】
搬送装置８は、図示しない駆動装置により回転駆動される複数の搬送ローラ８１、８２と、これら各搬送ローラ８１、８２に用紙Ｐを圧接させる従動ローラ８３、８４とを備えてなる。なお、８５は搬送中の用紙Ｐの有無を検知するためのセンサであり、８６はこのセンサを作動させるための作動レバーである。この実施形態では、２つの搬送ローラ８１、８２を前記静止ハウジング１Ａ側に設けるとともに、２つの従動ローラ８３、８４を前記開閉ハウジング１Ｂ側に設けており、上流側のローラ８１、８３と下流側のローラ８２、８４との間に前記撮像装置９を配している。
【００２９】
撮像装置９は、用紙Ｐの一面側をスキャンする第１のスキャンユニット９１と、用紙Ｐの他面側をスキャンする第２のスキャンユニット９２とを備えてなる。前記両スキャンユニット９１、９２は、それぞれ、表面を用紙通路Ｔに臨ませた透明板９１ａ、９２ａと、この透明板９１ａ、９２ａの裏面側に配したセンサ９１ｂ、９２ｂ及び光源９１ｃ、９２ｃとをユニットハウジング９１ｄ、９２ｄに組み付けたものである。第１のスキャンユニット９１と第２のスキャンユニット９２とは、用紙搬送方向に位置を異ならせて配置してある。各スキャンユニット９１、９２には、用紙Ｐを前記透明板９１ａ、９２ａの表面に密着させるための押圧ローラ９１ｅ、９２ｅが対面させてある。
【００３０】
このような構成のものであれば、給紙ローラ７１の取り替えを容易に行うことができる。すなわち、一定以上の力で蓋体７６の上縁部を手前に牽引することにより、弾性爪を係合穴から外して蓋体７６を開くことができ、これにより、支軸押さえ部７６ｂによる支軸７５の拘束を解くことができる。そのため、給紙ローラ７１と支軸７５とを若干右にスライドさせて、支軸７５の左端部をトンネル部７３ａから抜き取ることによって、この給紙ローラ７１と支軸７５とを手前に取り外すことができる。そして、以上の動作を逆に行うことによって、この給紙ローラ７１を正規の位置に取り付けることができる。
【００３１】
しかも、このようなものであれば、蓋体７６により給紙ローラ７１及び支軸７５の抜け止めを行っているので、支軸７５の外れ止めを行うための格別な機構が不要であり、簡単な構成により支軸７５の保持を確実に行うことができ、給紙ローラ７１を安定して作動させることが可能である。
【００３２】
また、支軸７５を固定された左右の軸支持用凹部７３，７４により支持するようにしているので、支軸を支持するための軸受を作動させるものと比べて、複雑な機構を必要とせず、構成の複雑化と操作の煩雑さを解消することができる。
【００３３】
加えて、支軸７５に対して回転ローラ７１を回転自在に設けた上で、前記支軸７５の右端部に、前記右の軸支持用凹部７４の内面の平面部７４ａに係り合って該支軸７５の回転を防止するための回り止め部７５ａを設けているので、支軸７５の回転止めのための格別な機構を設けることなく、簡単な構成により支軸７５の回り止めを行うことができる。
【００３４】
さらに、前記開口部７２に駆動歯車７７を配するとともに、前記給紙ローラ７１の一端に該給紙ローラ７１と一体に回転する従動歯車７１ａを設け、前記支軸７５の両端部を前記軸支持用凹部７３、７４に嵌め込んで給紙ローラ７１を前記開口部７２に配した状態で前記従動歯車７１ａが前記駆動歯車７７に噛み合うようにしているので、給紙ローラ７１への動力の伝達部分の構成をも簡略化できる。
【００３５】
加えて、作動レバー７８の先端に用紙Ｐが触れているか否かによって前記用紙通路Ｔ内の用紙Ｐの有無を検知するための前記センサを前記開口部７２内に配し、前記作動レバー７８の先端側を前記蓋体７６の窓７６ａを通して前記用紙通路Ｔに突出させているので、センサを配置するスペースや、レバーを用紙通路に突出させるための窓を別途設けることなく、簡単な構成により用紙の有無を検知する部分を形成できる。
【００３６】
また、本実施形態では、蓋体７６を綴じた状態で、支軸７５の一端部、具体的には右端部に蓋体７６の支軸押さえ部７６ｂを当てるようにしているとともに、支軸７５の他端部、すなわち左端部を左の軸支持用凹部７３の外側方に設けたトンネル部７３ａに収納可能にしているので、支軸及び給紙ローラ７１の抜け止めを確実に行うことができる。
【００３７】
そして、蓋体７６の下端部を前記開口部７２の下側に前後方向に開閉しうるように取り付け、蓋体７６を閉じることにより、左右の側壁７６ｄ、７６ｅの上部に設けた弾性爪７６ｄ１、７６ｅ１が機器本体１に設けた係合孔１３ａに着脱可能に係り合うようにしているので、蓋体７６を閉止位置に保持させるために開閉動作以外の格別な操作を必要とせず、この点からも簡単な構成で給紙ローラ７１の着脱操作の手間を軽減できる。
【００３８】
加えて、開口部７２の一方の側壁に隙間を介して中間壁を設けている、具体的には右側壁７２ｄとの間に隙間７２ｆを介して右中間壁７２ｅを設けているとともに、前記蓋体７６の前記中間壁７２ｅを設けた側の側壁すなわち右側壁７２ｅに支軸押さえ部７６ｂを設け、蓋体７６を閉じた状態で、支軸押さえ部７６ｂを有する右側壁７６ｅを前記隙間７２ｆに挿入するようにしているので、この隙間７２ｆにより右側壁７６ｅを案内し、支軸押さえ部７６ｂを確実に支軸７５に当てて支軸７５の抜け止めを図ることができる。
【００３９】
なお、本発明は以上に述べた実施形態に限られない。
【００４０】
例えば、上述した実施形態では、支軸押さえ部を一端側にのみ設けているが、支軸の両端を支軸押さえ部により拘束するようにしても良い。
【００４１】
また、上述した実施形態では、支軸の一端部にのみ回り止め部を設けているが、両端部に回り止め部を設けても良い。さらに、支軸の外周面に平行な平面部を形成するのでなく、支軸の一部にのみ平面部を形成したり、支軸の端部を横断面視多角形状に形成する等してもよい。さらに、支軸の側端面に例えば多角形状をなす回り止め孔を形成するとともに、機器本体側に設けた回り止め突起をこの回り止め孔に係り合わせる等、別の手段により支軸の回り止めを図るようにしてもよい。
【００４２】
さらに、上述した実施形態において、トンネル部や中間壁の配置を左右反対にしてもよい。
【００４３】
加えて、開口部内に配した駆動歯車と給紙ローラと一体に回転する従動歯車との歯車対でなく、ベルトや歯車列等の他の駆動力伝達機構を介して駆動機構の駆動軸と給紙ローラとを接続し、このような駆動力伝達機構を介して駆動機構からの駆動力を給紙ローラに伝達するようにしてもよい。
【００４４】
そして、給紙ローラの一部を用紙通路から表出させるための窓とは別に、用紙の有無を検知するためのセンサに接続した作動レバーの一部を用紙通路から表出させるための窓を蓋体に設けるようにしてもよい。また、前記開口部内に光学センサの光源ないし受光部のうち一方を設け、蓋体の窓を挟んで反対側に他方を設けるようにし、この光学センサにより用紙通路内の用紙の有無を検知する等、本発明の趣旨を逸脱しない範囲で種々変形が可能である。
【００４５】
加えて、本発明は、スキャナに限らず、プリンタやファクシミリ等の機器にも同様に適用が可能である。
【図面の簡単な説明】
【００４６】
【図１】本実施形態に係るスキャナの中央縦断面図。
【図２】同実施形態に係るスキャナの斜視図。
【図３】同実施形態に係るスキャナの静止ハウジングを前面側から示す斜視図。
【図４】同実施形態に係るスキャナの開閉ハウジングを背面側から観察した斜視図。
【図５】同実施形態に係る給紙装置の蓋体を開いた状態を示す図。
【図６】同実施形態に係る給紙ローラの着脱態様を示す分解斜視図。
【図７】同実施形態に係る給紙装置の正面図。
【図８】同実施形態に係る支軸の着脱態様を示す概略図。
【図９】同実施形態に係る支軸の取付態様を示す概略側面図。
【符号の説明】
【００４７】
１…機器本体
１３、１４…壁体
７…給紙装置
７１…給紙ローラ
７１ａ…従動歯車
７２…開口部
７３、７４…左、右の軸支持用凹部
７５…支軸
７５ａ…回り止め部（回転防止要素）
７６…蓋体
７６ａ…窓
７６ｂ…支軸押さえ部
７７…駆動歯車
７８…作動レバー
Ｐ…用紙
Ｔ…用紙通路
【図１】
2010132433.tif 000003
【図２】
2010132433.tif 000004
【図３】
2010132433.tif 000005
【図４】
2010132433.tif 000006
【図５】
2010132433.tif 000007
【図６】
2010132433.tif 000008
【図７】
2010132433.tif 000009
【図８】
2010132433.tif 000010
【図９】
2010132433.tif 000011